(57)【特許請求の範囲】
【請求項１】
ハウジングと、前記ハウジング内に設けられた円環状のリング部と、前記ハウジング内に回動可能に収容された軸体と、前記軸体に設けられ、かつ前記ハウジング内にて前記リング部に対しその円周方向に沿って摺動可能に当接する摺動部と、を備え、
前記リング部は、円環状でエラストマー又は軟質ゴムからなり、前記摺動部に当接する当接部を有するとともに、内部に空洞部を有し、かつ該空洞部が前記当接部と反対の側に開口部を有してなるリング部材が、前記空洞部に気体を封入した状態で、前記開口部が前記ハウジングの内面に気密に密着していることで構成されてなり、
前記ハウジングの内面には、前記空洞部の前記開口部側に係合する突部が設けられ、
前記リング部材には、その内側及び／又は外側に、該リング部材を前記ハウジングの内面側に押圧する押圧部材が設けられていることを特徴とする回転ダンパー。
【請求項２】
前記押圧部材は、前記リング部材の内側と外側との両方に設けられていることを特徴とする請求項１記載の回転ダンパー。
【請求項３】
前記軸体は、前記ハウジングから一部が突出してなることを特徴とする請求項１又は２に記載の回転ダンパー。
【請求項４】
前記摺動部は、前記リング部の当接部の全周に当接するよう、円環状又は円盤状に形成されていることを特徴とする請求項１〜３のいずれか一項に記載の回転ダンパー。
【請求項５】
前記摺動部は、前記リング部の当接部の全周に当接するように円盤状に形成され、かつ前記軸体と一体に形成されてなるとともに、前記リング部の当接部に当接する側と反対の側が、前記ハウジングの内面に摺動可能で、かつ気密に当接し、これによって前記ハウジング内における、前記摺動部とハウジングの内面との当接箇所の外側が、該摺動部とハウジングとによって気密に構成されていることを特徴とする請求項１〜３のいずれか一項に記載の回転ダンパー。
【発明の詳細な説明】
【技術分野】
【０００１】
本発明は、回転ダンパーに関する。
【背景技術】
【０００２】
従来、例えば各種の開閉機構などに用いられて、開閉部材の開閉動作に対してトルクを付与するダンパーとして、回転ダンパーが知られている。このような回転ダンパーとしては、オイル等の粘性流体を用いる機構のものが知られている。
この粘性流体を用いる機構のものは、基本的にトルクの付与によるダンパー機能が一定であり、したがって、開閉部材の開閉動作などを、一定の力で制動する構造に好適に用いられている。また、このような粘性流体を用いる機構の回転ダンパーとしては、例えば粘性流体としてシリコーンオイルを用いたものが知られている。このような回転ダンパーでは、そのオイル漏れ（流体漏れ）を防止するため、Ｏリング等からなるシール部材が設けられている（例えば、特許文献１参照）。
【０００３】
しかしながら、前記のシリコーンオイル等の粘性流体を用いた回転ダンパーでは、粘性流体の粘度が温度に依存するためにそのダンパー機能も温度によって変化し、特に４０℃以上の高温になるとその変化が大きくなってしまう。すると、特に温度に関係なく一定の力、すなわち一定のダンパー機能で制動したい構造に適用する場合には、このような粘性流体を用いた回転ダンパーでも問題となることがある。
また、粘性流体を用いた回転ダンパーでは、前述したようにオイル漏れ（流体漏れ）を防止するためのシール部材が必要となることから、その構造が複雑になり、また粘性流体の注入工程が必要となることなどから、組立性が悪く生産性に劣るものとなっている。
【０００４】
そこで、本出願人は、粘性流体を用いることなく、エラストマー又は軟質ゴムからなる円環状のリング部と、これの円周方向に沿って摺動する摺動部とを用い、これらが摺動することによる摩擦力により、一定のダンパー機能を発揮するようにした回転ダンパーを提供した（特許文献２参照）。
【特許文献１】特開２００５−１１４１５４号公報
【特許文献２】特開２００７−１５４９９０号公報
【発明の開示】
【発明が解決しようとする課題】
【０００５】
しかしながら、前記特許文献２の回転ダンパーにあっても、以下に述べる改善すべき課題がある。
回転ダンパーでは、その用途によっても異なるものの、例えば蓋や扉が開くときに作用させるものとしては、回転速度依存性が高いものが要求されることが多い。すなわち、蓋や扉が開くときには、初期や中期に比べて後期では慣性力などが働き、開き速度が速くなる。その結果、蓋や扉の取付部分に過大な負荷がかかったり、衝突によって大きな音が生じるといった不具合を招くおそれがある。ところが、前記の特許文献２の回転ダンパーでは、回転速度依存性が比較的低く、したがって、前記したような用途では要求される性能を満足するには不十分であった。
【０００６】
また、温度依存性に関しても、特に常温から４０℃以上の高温にかけては、粘性流体を用いた回転ダンパーに比べてトルク変化率が少なく、一定のダンパー機能を発揮するものの、やはり４０℃以上の高温になると、トルク変化率が比較的大きくなってしまう。
本発明は前記事情に鑑みてなされたもので、その目的とするところは、回転速度依存性が比較的高く、また、温度依存性については特に４０℃以上の高温でも比較的小さく、したがって４０℃以上の高温でもほぼ一定のダンパー機能を発揮するようにした、回転ダンパーを提供することにある。
【課題を解決するための手段】
【０００７】
前記目的を達成するため本発明の回転ダンパーは、ハウジングと、前記ハウジング内に設けられた円環状のリング部と、前記ハウジング内に回動可能に収容された軸体と、前記軸体に設けられ、かつ前記ハウジング内にて前記リング部に対しその円周方向に沿って摺動可能に当接する摺動部と、を備え、
前記リング部は、円環状でエラストマー又は軟質ゴムからなり、前記摺動部に当接する当接部を有するとともに、内部に空洞部を有し、かつ該空洞部が前記当接部と反対の側に開口部を有してなるリング部材が、前記空洞部に気体を封入した状態で、前記開口部が前記ハウジングの内面に気密に密着していることで構成されてなり、
前記ハウジングの内面には、前記空洞部の前記開口部側に係合する突部が設けられ、
前記リング部材には、その内側及び／又は外側に、該リング部材を前記ハウジングの内面側に押圧する押圧部材が設けられていることを特徴としている。
【０００８】
この回転ダンパーによれば、ハウジングに対して軸体を回動させると、その摺動部がリング部の当接部に対して摺動することで摩擦を生じ、これによって軸体にトルクを発生し、ダンパー機能を発揮する。その際、リング部はその空洞部に気体が封入されているため、弾性変形に伴う弾性復帰力と、空洞部の気体により生じる一定な内圧とからなる反発力が、当接部に対して一定に付与されることにより、前記摺動部と当接部との間の摺動による摩擦力がリング部の全周に亘って一定となり、したがって比較的一定のダンパー機能を発揮するようになる。
また、リング部内には空気等の気体を封入しているので、たとえこれが漏れても他の部材を汚すなどといった不都合がなく、したがってシール部材が不要となる。また、オイル等の粘性流体の注入工程も不要となる。
【０００９】
また、ハウジングの内面に、リング部材の空洞部の開口部側に係合する突部が設けられており、さらに、リング部材の内側及び／又は外側には、該リング部材をハウジングの内面側に押圧する押圧部材が設けられているので、ハウジングに対する軸体の相対的な回転（回動）速度が高くなっても、リング部材が摺動部の回動（摺動）に連れ回りして回動（回転）してしまうことが抑えられる。したがって、回転速度が速くなるにつれて軸体に発生するトルクも大きくなり、トルクの回転速度依存性が比較的高くなる。
【００１０】
また、リング部材の空洞部の開口部側が突部に係合し、リング部材の内側及び／又は外側に押圧部材が設けられているので、例えば使用環境が４０℃以上の高温になり、空洞部の気体が体積膨張しても、空洞部の外側に洩れる度合いが低く抑えられる。そして、このように４０℃以上の高温になると、エラストマー又は軟質ゴムからなるリング部材はその硬度がわずかながら軟化し、したがって前記摺動部との間の摩擦力が小さくなる。
しかして、前記したように空洞部の気体の体積膨張によってリング部の内圧が高くなるので、軸体に発生するトルクは、リング部材の軟化による摩擦力の低下と、気体の体積膨張による内圧の上昇とで互いに相殺され、したがって４０℃以上の高温でも温度依存性が比較的小さくなる。
【００１１】
また、前記回転ダンパーにおいては、前記押圧部材が、前記リング部材の内側と外側との両方に設けられているのが好ましい。
このようにすれば、リング部材が摺動部の回動（摺動）に連れ回りして回動（回転）してしまうのがより良好に抑えられ、また、空洞部の気体が体積膨張した際に空洞部の外側に気体が洩れる度合いもより低く抑えられる。
【００１２】
また、前記回転ダンパーにおいては、前記軸体が、前記ハウジングから一部が突出しているのが好ましい。
このようにすれば、ハウジングから突出した部分にギアーやカムなどを取り付けることにより、これらギアーやカムなどを介して回転ダンパーを各種の開閉機構に容易に連結することができる。
【００１３】
また、前記回転ダンパーにおいては、前記摺動部が、前記リング部の当接部の全周に当接するよう、円環状又は円盤状に形成されているのが好ましい。
このようにすれば、摺動部がリング部の当接部の全周に当接することにより、これらの間に生じる摩擦力が大きくなってダンパー機能が高まる。また、摺動部とリング部の当接部との間の接触面積が常に一定となり、さらに摺動が当接部の全周において連続していることから、軸体の回転によるダンパー機能がより安定して一定に発揮されるようになる。
【００１４】
また、前記回転ダンパーにおいては、前記摺動部が、前記リング部の当接部の全周に当接するように円盤状に形成され、かつ前記軸体と一体に形成されてなるとともに、前記リング部の当接部に当接する側と反対の側が、前記ハウジングの内面に摺動可能で、かつ気密に当接し、これによって前記ハウジング内における、前記摺動部とハウジングの内面との当接箇所の外側が、該摺動部とハウジングとによって気密に構成されているのが好ましい。
このようにすれば、前記リング部材の空洞部に封入された気体が、リング部の外側に洩れようとしても、このリング部を含むハウジング内の空間が、前記摺動部とハウジングの内面とが気密に当接していることで気密に構成されているため、前記気体のリング部外への洩れが抑制される。
【発明の効果】
【００１５】
本発明の回転ダンパーによれば、前述したように比較的一定のダンパー機能が発揮されるようになることから、特にほぼ一定の力、すなわちほぼ一定のダンパー機能で制動したい構造に好適となる。
また、オイルなどの粘性流体を用いることなく、流体としては、単に空気等の気体を用いているだけであるので、前述したようにシール部材が不要となり、粘性流体の注入工程も不要となる。したがって、従来に比べ生産性が大幅に向上する。
さらに、リング部材の空洞部の開口部側が突部に係合し、リング部材の内側及び／又は外側に押圧部材が設けられているので、トルクの回転速度依存性が比較的高くなり、したがって比較的高い回転速度依存性が要求される用途にも、好適に用いられるようになる。
また、４０℃以上の高温でも温度依存性が比較的小さくなることから、このように４０℃以上の高温でもほぼ一定のダンパー機能が要求される用途に、好適に用いられるようになる。
【発明を実施するための最良の形態】
【００１６】
以下、図面を参照して本発明を詳しく説明する。
図１（ａ）（ｂ）、図２は、本発明の回転ダンパーの一実施形態を示す図であり、図１（ａ）は回転ダンパーの平面図、図１（ｂ）は回転ダンパーの側面図、図２は回転ダンパーの側断面図である。図１（ａ）（ｂ）、図２に示す回転ダンパー１は、各種ドアーの開閉機構や、各種カバーの開閉機構、オーディオ機器における開閉扉の開閉機構、トイレの便座の開閉機構などに用いられて、開閉部材の開閉動作に対してほぼ一定のトルクを付与し、ダンパー機能を発揮するとともに、比較的高い回転速度依存性も有するように構成されたものである。
【００１７】
この回転ダンパー１は、ハウジング２と、このハウジング２内に回動可能に収容されて、該ハウジング２内から軸体３の一部を外に突出させる軸部材４（図２参照）と、を備えたものである。ハウジング２は、例えば前記開閉機構における固定部（本体側）に設けられるようになっており、軸部材４は、その軸体３の、ハウジング２から突出した部分に、前記開閉機構の可動部（従動部）を制動するためのギアーやカムなどが取り付けられるようになっている。すなわち、可動部となる扉等の開閉部材には、通常ラックやギアーなどが設けられており、前記軸体３に設けられるギアーやカムなどは、開閉部材のラックやギアーなどと歯合することなどで、開閉部材の開閉動作を制御するようになっているのである。
【００１８】
また、このハウジング２内には、図２に示すように、円環状のリング部５が形成されている。ここで、ハウジング２は、ハウジング本体６とこのハウジング本体６に一体に係止するカバー７とからなるもので、硬質の合成樹脂等によって形成されたものである。ハウジング本体６は、底板６ａと、この底板６ａの一方の面（内面）に一体に形成された円筒状の係合筒部６ｂと、この係合筒部６ｂの中心部において前記底板６ａに一体に形成された円筒状の軸受け部６ｃと、底板６ａの側部に張り出した状態で形成された一対の取付部６ｄ、６ｄと、からなるものである。
【００１９】
底板６ａには、図２に示すようにその一方の面（内面）に円環状の突部６ｅが設けられている。この突部６ｅは、後述するリング部材の空洞部の開口部側に係合することにより、このリング部材が回動してしまうのを防止するとともに、空洞部内の気密性をより高めるためのものである。
係合筒部６ｂには、その上面側に周方向に沿って係合溝６ｆが形成されており、この係合溝６ｆには、後述するようにカバー７の円筒部７ａが係合している。
【００２０】
軸受け部６ｃには、後述するようにその中心部の凹部に、軸部材４の係合凸部が回動可能に係合している。
取付部６ｄは、図１（ａ）に示すように取付孔６ｇを形成したもので、この取付孔６ｇに螺子等が嵌め込まれることにより、ハウジング本体２は、前記開閉機構における固定部などに取り付け固定されるようになっている。
【００２１】
カバー７は、有蓋円筒状のもので、図２に示すようにその円筒部７ａの下端部が、前記ハウジング本体６の係合筒部６ｂの係合溝６ｆに係合したものである。また、このカバー７は、円筒部７ａの下端部が係合溝６ｆに溶着あるいは接着させられたことにより、ハウジング本体６に一体に固定されている。このような構成のもとにハウジング２は、その内部に収容空間を形成したものとなっている。また、前記カバー７には、その蓋部７ｂの中心部に、円形の開口部７ｃが形成されている。
【００２２】
前記ハウジング２内、すなわちその収容空間には、円環状のリング部材８が設けられており、これによって前記のリング部５が形成されている。リング部材８は、シリコンゴムなどの、軟質の合成樹脂（エラストマー）又は軟質ゴムからなるもので、弾性変形可能に形成されたものであり、本発明における当接部となるものである。ここで、このリング部材８としては、その内面及び／又は外面にフッ素樹脂や金属等のコーティングがなされ、該リング部材８自体を気体（空気）が透過してしまうのが抑えられた構造であってもよい。
【００２３】
このリング部材８は、タイヤ形状や浮き袋形状に似た円環状のもので、その内部に周方向に沿う空洞部８ａを有し、一方の側（前記底板６ａ側）に円周方向に沿って開口部８ｂを形成したものである。また、このリング部材８には、前記開口部８ｂの両側（外側及び内側）にそれぞれフランジ部８ｃが形成され、さらにこのフランジ部８ｃの内側、すなわち開口部８ｂの内側のフランジ部８ｃの内部に、内部孔８ｄが形成されている。
【００２４】
そして、このリング部材８は、そのフランジ部８ｃが前記ハウジング本体６の底板６ａに当接し、これによって前記突部６ｅが開口部８ｂ内に嵌り込み、空洞部８ａの開口部８ｂ側に係合している。また、内部孔９ｄを形成する内側のフランジ部８ｃの側端面は、軸受け部６ｃに密着した状態で当接させられており、外側のフランジ部８ｃの側端面も、前記係合筒部６ｂの内面に密着した状態で当接させられている。
【００２５】
また、このリング部材８には、そのフランジ部８ｃの上側に、該リング部材８を前記ハウジング６の底板６ａ側（内面側）に押圧する押圧部材９ａ、９ｂが設けられている。押圧部材９ａ、９ｂは円筒状のもので、本実施形態ではリング部材８の内側と外側の両方に配設されている。すなわち、内側に配設された押圧部材９ａは、前記軸受け部６ｃに外挿され嵌合した状態で、フランジ部８ｃを押圧するように配置されており、外側に配設された押圧部材９ｂは、前記係合筒部６ｂに内挿され嵌合した状態で、フランジ部８ｃを押圧するように配置されている。
【００２６】
このような構成によってリング部材８は、開口部８ｂ側、すなわちその両側のフランジ部８ｃの底面が、底板６ａの内面に当接してここに密着し、空洞部８ａの開口部８ｂ側に突部６ｅが係合し、さらにその状態が押圧部材９ａ、９ｂによって保持固定されていることにより、空洞部８ａ内に空気を気密に封止したものとなっている。また、特に空洞部８ａの開口部８ｂ側に突部６ｅが係合し、さらにその状態が押圧部材９ａ、９ｂによって保持固定されていることにより、このリング部材８は、後述するように前記軸部材４の摺動部の回動（摺動）に連れ回りして、その周方向に回動（回転）してしまうことが抑えられている。また、空洞部８ａに封止された空気が、リング部材８の外側に洩れる度合いも低く抑えられている。
【００２７】
また、ハウジング２内、すなわちその収容空間には、前述したように軸部材４が設けられている。この軸部材４は、合成樹脂や合成ゴム等によって形成されたもので、前記軸体３と、前記リング部５のリング部材８に対して摺動可能に当接する摺動部１０と、前記軸受け部６ｃに回動可能に係合する係合凸部４ａとが、一体に形成されたものである。摺動部１０は、図３（ａ）〜（ｃ）に示すように円盤状のもので、その一方の面側（上面側）の中央部に前記軸体３が一体に形成され、他方の面側（下面側）の中央部に前記係合凸部４ａが一体に形成されたものである。また、この摺動部１０において、係合凸部４ａを形成した側の面は、図２に示すように前記リング部５のリング部材８に摺動可能に当接する摺動面１０ａとなっている。
【００２８】
一方、この摺動面１０ａと反対の側の面には、その外周部に、円環状の膨出部１０ｂが形成されている。この膨出部１０ｂは、その側断面形状が略半円状となるように形成されたもので、前記カバー７の内面に摺動可能で、かつ気密に当接している。このような構成によって膨出部１０ｂは、カバー７とは面で接触することなく、ほとんど線に近い状態で接触したものとなっている。したがって、後述するようにハウジング２に対して軸部材４が回動させられた際、膨出部１０ｂはカバー７の内面に摺動することで摩擦を生じるものの、ここで生じる摩擦抵抗は小さくなるようになっている。
【００２９】
また、膨出部１０ｂとカバー７の内面とが気密に当接していることにより、ハウジング２内における、前記膨出部１０ｂとカバー７の内面との当接箇所の外側の空間が、摺動部１０とハウジング２とによって気密に構成されたものとなっている。したがって、この気密に構成された空間からは、空気が抜けないようになっていると同時に、この気密空間に、前記カバー７の開口部７ｃから例えば異物などが入り込まないようになっている。
【００３０】
前記軸体３は、円柱状のもので、その先端側が前記カバー７の開口部７ｃから外側に突出させられたものであり、前述したようにこの突出した部分に、扉等の開閉部材を制動するためのギアーやカムなどが取り付けられるようになっている。また、ギアーやカムなどを介することなく、直接扉等の開閉部材が設けられるようにもなっている。すなわち、この軸体３は、図３（ａ）〜（ｃ）に示すように先端部形状がＩカット形状（Ｄカット形状でも可）になっており、これによってギアーやカムなどを取り付けた場合にも、また、開閉部材を直接取り付けた場合にも、空回りすることなく力が伝達されるようになっている。なお、軸体３に貫通孔を設け、ピン等の部材をこの貫通孔に挿し込むことにより、ギアーやカム、開閉部材などの回り止めをなすように構成してもよい。
前記係合凸部４ａは、軸体３と同じ中心軸を有する円柱状のもので、軸受け部６ｃに回動可能に係合することにより、軸部材４の回動を安定化させるものである。
【００３１】
このような構成の回転ダンパー１を作製するには、まず、ハウジング本体６の底板６ａの内面に、リング部材８のフランジ部８ｃ側を当接させるとともに、底板６ａの突部６ｅにリング部材８の開口部８ｂ側を嵌め込んで係合させる。すなわち、リング部材８の内部孔８ｄを軸受け部６ｃに係合させ、かつ、フランジ部８ｃを底板６ａや軸受け部６ｃ、係合筒部６ｂにそれぞれ当接させる。そして、その状態で押圧部材９ａ、９ｂをそれぞれ所定の位置に係合させ、かつ底板６ａ側に押し込むことにより、リング部材８を底板６ａ側に押圧し密着させ、リング部５を形成する。
【００３２】
このとき、組立時の環境としては一般の大気雰囲気とすればよく、これにより、リング部材８の空洞部８ａには、リング部材８と突部６ｅとの間に形成される空間に、自然に空気が封入されることになる。ただし、封入される空気中の水分を少なくする目的で、環境中の水分（湿度）を低く調整しておいてもよい。また、封入後の空気（気体）による内圧を大きくする目的で、突部６ｅ上に発泡剤を設けておき、リング部材８を底板６ａに密着させた後、例えば最終工程で加熱等により発泡剤を発泡させ、内圧を高めるようにしてもよい。なお、必要に応じて接着剤を用い、フランジ部８ｃを底板６ａに接着するようにしてもよい。
【００３３】
次いで、軸受け部６ｃに軸部材４の係合凸部４ａを嵌め込んで係合させるとともに、リング部材８の上に軸部材４の摺動部１０を載せ、その摺動面１０ａをリング部材８に当接させる。その際、これら摺動面１０ａとリング部材８との間に、必要に応じてうすくグリースを塗布し、その摺動を滑らかにしてもよい。そして、その状態でカバー７を被せ、その開口部７に軸体３の先端側を通す。その際にも、摺動部１０の膨出部１０ｂとカバー７の内面との間に、必要に応じてうすくグリースを塗布し、その摺動を滑らかにしてもよい。
【００３４】
さらに、カバー７をハウジング本体６側に押圧し、その円筒部７ａを前記係合筒部６ｂの係合溝６ｆに係合させる。そして、ハウジング本体６とカバー７とを溶着や接着等によって気密に固定する。
このようにして、ハウジング本体６とカバー７とからなるハウジング２内に、リング部材８と押圧部材９ａ、９ｂと軸部材４とを収容すると、リング部材８は軸部材４の摺動部１０を介してカバー７に押圧され、弾性変形することによってその内圧を高め、相対的に摺動部１０を押圧するようになる。
また、膨出部１０ｂとカバー７の内面とが気密に当接するようになる。これにより、ハウジング２内における、前記膨出部１０ｂとカバー７の内面との当接箇所の外側の空間、すなわちリング部５を形成した側の収納空間が、摺動部１０とハウジング２とによって気密な閉空間に形成される。
【００３５】
次に、このような構成の回転ダンパー１の作用について説明する。
この回転ダンパー１を使用するには、まず、ハウジング本体６の取付部６ｄ、６ｄを利用してこれを例えば開閉装置（開閉機構）の本体側（固定部側）に取り付ける。そして、ハウジング２から突出した軸体３にギアーやカムを取り付け、さらにこれらギアーやカムを扉等の開閉部材に設けられたギアー等に歯合させる。
【００３６】
このようにしてセットしたら、扉等の開閉部材を開閉動作させる。すると、この開閉動作に伴い、回転ダンパー１は、その軸体３が正方向あるいは逆方向に回動する。すなわち、軸体３は、ハウジング２に対して正方向あるいは逆方向に回動する。
そして、このようにして軸体３を回動させると、その摺動部１０がリング部５の当接部、すなわちリング部材８の上面部に対して摺動することで摩擦を生じ、これによって軸体３にトルクを発生し、前記の開閉部材に対してダンパー機能を発揮する。その際、リング部５はその空洞部８ａに空気が封入されていることから、リング部材８の弾性変形に伴う弾性復帰力と、内部の気体により生じる一定な内圧とからなる反発力が、前記当接部に対して一定に付与されることにより、前記摺動部１０とリング部材８との間の摺動による摩擦力がリング部５の全周に亘って一定となる。
【００３７】
したがって、この回転ダンパー１にあっては、一定のダンパー機能を発揮することができるため、開閉部材等を比較的一定の力、すなわち一定のダンパー機能で制動したい場合に、好適なものとなる。
また、リング部５内には空気（気体）を封入しているので、たとえこれが漏れても他の部材を汚すなどといった不都合がなく、したがってシール部材が不要となり、さらにはオイル等の粘性流体の注入工程も不要となる。したがって、従来に比べ生産性を大幅に向上することができる。
【００３８】
また、特に空洞部８ａの開口部８ｂ側に突部６ｅが係合し、さらにその状態が押圧部材９ａ、９ｂによって保持固定されているので、ハウジング２に対する軸部材４（軸体３）の相対的な回転（回動）速度が高くなっても、リング部材８が摺動部１０の回動（摺動）に連れ回りしてその周方向に回動（回転）してしまうことが抑えられる。したがって、回転速度が速くなるにつれて軸体３に発生するトルクも大きくなり、トルクの回転速度依存性が比較的高くなることから、このように比較的高い回転速度依存性が要求される用途にも、好適に用いられるものとなる。
【００３９】
また、例えば使用環境が４０℃以上の高温になり、空洞部８ａの空気が体積膨張しても、前記したように空気が空洞部８ａの外側に洩れる度合いが低く抑えられているので、空洞部８ａの空気の体積膨張によってリング部５の内圧が高くなることにより、結果的に軸体３に発生するトルクがほとんど変化しなくなる。すなわち、このように４０℃以上の高温になると、エラストマー又は軟質ゴムからなるリング部材８はその硬度がわずかながら軟化し、したがって前記摺動部１０との間の摩擦力が小さくなる。ところが、前記したように空洞部８ａの空気の体積膨張によってリング部５の内圧が高くなるので、軸体３に発生するトルクは、リング部材８の軟化による摩擦力の低下と、リング部５の内圧の上昇とで互いに相殺されるからである。よって、この回転ダンパー１は、４０℃以上の高温でも温度依存性が比較的小さいものとなるため、このように高温において比較的小さい温度依存性が要求される用途にも、好適に用いられるものとなる。
【００４０】
また、リング部材８の内側と外側との両方に押圧部材９ａ、９ｂを設けられているので、リング部材８が摺動部１０の回動（摺動）に連れ回りして回動（回転）してしまうのをより良好に抑えることができ、また、空洞部８ａの空気が体積膨張した際に空洞部８ａの外側に空気が洩れる度合いもより低く抑えることができる。ただし、例えば５０℃を越えるような高温になった際には、リング部５の内圧が極端に上昇して、前記のリング部材８の軟化による摩擦力の低下とのバランスが崩れるおそれがある。その場合には、リング部材８の内側と外側との両方に押圧部材９ａ、９ｂを設けるのでなく、いずれか一方のみに押圧部材９ａ（９ｂ）を設け、リング部５の内圧が極端に上昇した際には空洞部８ａの空気が僅かに洩れるように、構成してもよい。
【００４１】
また、膨出部１０ｂとカバー７の内面とを気密に当接させていることにより、ハウジング２内における、前記膨出部１０ｂとカバー７の内面との当接箇所の外側の空間を、摺動部１０とハウジング２とによって気密に構成しているので、前記リング部５の内部に封入した空気の、リング部５の外側への洩れを良好に抑制し、これによりリング部５による摩擦力を長期に亘って安定して生じさせることができる。
【００４２】
なお、本発明は前記実施形態に限定されることなく、本発明の要旨を逸脱しない範囲において種々の変更が可能である。例えば、前記実施形態では、軸体３の一部をハウジング２より突出させて構成したが、軸体３をハウジング２より突出させることなく、その中心軸方向に沿って凹部または貫通孔からなる係合部を形成するようにしてもよい。このように構成しても、凹部または貫通孔からなる係合部に軸部材等を介してギアーやカム、あるいは扉等の開閉部材を連結することができる。また、回動軸を有する開閉部材等であれば直接連結することもできる。
【００４３】
また、摺動部１０についても、前記実施形態では円盤状に形成したが、リング部５に対してその円周方向に沿って摺動可能に当接すれば、円盤状、さらには円環状でなく、例えば扇状の羽を複数備えたプロペラ状のものであってもよい。
さらに、このような摺動部と軸体とを別体とし、これらを組み立てることで軸部材を形成するようにしてもよい。
また、カバー７の円筒部７ａを、ハウジング本体６の係合筒部６ｂに溶着あるいは接着することで固定したが、例えばこれら円筒部７ａ、係合筒部６ｂにそれぞれ螺子部を形成しておき、これら螺子部の螺合により、ハウジング本体６にカバー７を固定してもよい。また、このような螺合と前記の溶着あるいは接着とを共に行うことで、ハウジング本体６とカバー７との間をより強固に固定してもよい。
【００４４】
（実験例１）
本発明の回転ダンパー（以下、本発明品と記す）と、特許文献２（特開２００７−１５４９９０号公報）に示した従来の回転ダンパー（以下、従来品と記す）、すなわち、前記実施形態の回転ダンパー１から基本的に押圧部材９ａ、９ｂと突部６ｅとを無くした構成のものと、粘性流体としてシリコーンオイルを用いた従来のダンパー（以下、オイルダンパーと記す）とについて、それぞれ温度特性（温度依存性）を調べた。得られた結果を図４に示す。ここで、本発明品としては、二つの押圧部材９ａ、９ｂのうち、内側の押圧部材９ａのみを設け、外側の押圧部材９ｂは設けないものを用いた。
なお、図４において横軸は環境温度であり、縦軸は０℃でのトルク値を１としたときの、相対的なトルク値をトルク変化率として示している。また、図４中実線で示すＡは本発明品の温度特性を示し、破線で示すＢは従来品の温度特性を示し、二点鎖線で示すＣはオイルダンパーの温度特性を示している。
【００４５】
図４に示したように、オイルダンパーＣは、通常の使用環境温度である常温（２５℃程度）から４０℃程度までは比較的一定のトルク変化率を有しているものの、４０℃以上になると急激にトルク変化率が低下する。これは、使用環境温度の上昇によってシリコーンオイルの粘性が急激に低下することによるものと考えられる。
一方、従来品Ｂでも、常温（２５℃程度）から４０℃程度までは比較的一定のトルク変化率を有しているものの、やはり４０℃以上になるとトルク変化率が低下する。これは、特にリング部材の硬度が軟化し、摺動部との間の摩擦力が小さくなることと、リング部の内圧が空気洩れによって高くならないことにより、結果的に発生するトルクが低くなるためと考えられる。
これに対して本発明品Ａでは、常温（２５℃程度）から４０℃程度までは比較的一定のトルク変化率を有しており、さらに４０℃以上になってもトルク変化率がほぼ一定になっている。これは、前述したように突部６ｅと押圧部材９ａとを設けて空洞部８ａからの空気洩れを抑え、リング部５の内圧を高めたことによる効果と考えられる。
【００４６】
（実験例２）
次に、実験例１で用いたものと同じ本発明の回転ダンパー（本発明品）と、実験例１で用いたものと同じ従来の回転ダンパー（従来品）とについて、それぞれ速度特性（回転速度依存性）を調べた。得られた結果を図５に示す。
なお、図５において横軸は回転速度であり、縦軸はトルク値を示している。また、図５中実線で示すＡは本発明品の速度特性を示し、破線で示すＢは従来品の速度特性を示している。
【００４７】
図５に示したように、従来品Ｂは、通常の使用回転速度である１０ｒｐｍから３０ｒｐｍの範囲において、特に２０ｒｐｍ以上になるとトルク値の上昇の度合いが低下する。これは、回動速度が高くなると、リング部材が摺動部の回動（摺動）に連れ回りして回動（回転）してしまうためであると考えられる。
これに対して本発明品Ａでは、全体的に回転速度依存性が高く、２０ｒｐｍ以上になってもトルク値の上昇の度合いが比較的高く維持される。これは、前述したように突部６ｅと押圧部材９ａとを設けてリング部材８の連れ回りを抑えたことによる効果と考えられる。
【図面の簡単な説明】
【００４８】
【図１】本発明の回転ダンパーの一実施形態の概略構成を示す図であり、（ａ）は平面図、（ｂ）は側面図である。
【図２】図１に示した回転ダンパーの側断面図である。
【図３】軸部材を示す図であり、（ａ）は平面図、（ｂ）は側面図、（ｃ）は正面図である。
【図４】温度特性（温度依存性）を示すグラフである。
【図５】速度特性（回転速度依存性）をを示すグラフである。
【符号の説明】
【００４９】
１…回転ダンパー、２…ハウジング、３…軸体、４…軸部材、５…リング部、６…ハウジング本体、６ｅ…突部、７…カバー、８…リング部材（当接部）、８ａ…空洞部、８ｂ…開口部、９ａ、９ｂ…押圧部材、１０…摺動部、１０ａ、摺動面、１０ｂ…膨出部
【図１】
0004848350.tif 000002
【図２】
0004848350.tif 000003
【図３】
0004848350.tif 000004
【図４】
0004848350.tif 000005
【図５】
0004848350.tif 000006